(57)【要約】      （修正有）【課題】従来のエクササイズバイクの操作は、単純に両足で踏むという脚力による操作方式及び運動形態を取るだけなので、明らかに、使用者にとって単調で、おもしろみに欠けるため、使用者が飽きることのないエクササイズバイクを提供する。【解決手段】エクササイズバイクの構造は、一体となったハンドル支柱とサドル支柱の前部先端が振り子ロッドによって前後に振れる軸固定状態で台座に設置されていて、後部先端の両側はそれぞれ駆動ロッドで第一駆動装置の回転軸両側の偏心部分に設置されている。さらに、スプリングパーツの上に跳ね上がる作用を受け、さらに、第一駆動装置と第二駆動装置が同時に作動することにより、使用者がサドルに座った時、その自らの重力でハンドル支柱及びサドル支柱の後部先端が下に振れ、同時に、２つの駆動ロッドによって、第一駆動装置の駆動輪が動かされて回転し、さらに、第二駆動装置の重力輪を回転させる。【選択図】図１
0003127734.tif 000002
【実用新案登録請求の範囲】
【請求項１】
台座を有し、ハンドル支柱とサドル支柱は一体となっていて、前部先端の上方にはハンドルが設置されていて、後部先端上方にはサドルが設置されていて、
振り子ロッドは、一端が軸鞘によって台座の前部の端に軸固定されていて、前後に振れる動作をし、もう一方の端が軸鞘によって自由に軸回転できる状態で、一体となったハンドル支柱とサドル支柱の下端に連結されていて、
第一駆動装置には、回転軸ユニットがあって、回転軸は回転軸台座によって台座の後部に固定されていて、駆動輪は回転軸ユニットの回転軸の一端に設置されていて、
第一駆動ロッドは、その一端が上下が対応する形で、一体となったハンドル支柱とサドル支柱の後部先端の一側面に貫通して取り付けられていて、もう一方の端は、固定かんぬきによって自由に回転する状態で、第一駆動装置の回転軸の一端の偏心部に固定されていて、回転軸の回転に伴い、ハンドル支柱とサドル支柱の後部先端の側面を押したり引いたりし、
第二駆動ロッドの一端には左右に振れる状態でハンドル支柱とサドル支柱後部先端の一方の側に軸接続されていて、もう一方の端は、固定かんぬきによって、自由に回転する状態で第一駆動装置の回転軸のもう一方の端の偏心部に固定されていて、回転軸の回転に伴い、ハンドル支柱とサドル支柱後部先端のもう一方の側を押したり引いたりし、
第二駆動装置には重力輪が設置されていて、自由に回転する状態で、台座に設置され、駆動輪は、重力輪と同軸に回転軸に取り付けられ、伝動ベルトは、駆動輪と第一駆動装置の駆動輪の間にかけられて、重力輪と第一駆動装置の駆動輪を連動させ、
スプリングパーツは、ハンドル支柱とサドル支柱、及び台座の間に設置され、ハンドル支柱とサドル支柱の後部先端が随時上に跳ね上がるようにし、
ペダルロッドは、サドル支柱両側に使用者が両足を置くために設置され、
使用者がサドルに座り、両足をペダルロッドに置くと、自らの重力と、臀部あるいは腰部あるいは手あるいは足でハンドル支柱とサドル支柱に少し力を加えることにより、さらに、２つの駆動ロッドが第二駆動装置の重力輪を動かして、第一駆動装置の回転軸に力を伝えることにより、さらに、その２つの駆動ロッドが偏心で円周運動をする中で、それぞれ、ハンドル支柱とサドル支柱の両側を押したり、引いたりすることにより、ハンドル支柱とサドル支柱が乗馬をするように踊るような形態で、前後、上下及び左右に振れる動作を行なうという特長を持つエクササイズバイク。
【請求項２】
第一駆動ロッド及びハンドル支柱とサドル支柱後部先端の接続箇所に緩衝ユニットが設置されている、請求項１に記載のエクササイズバイク。
【請求項３】
第一、第二駆動ロッドが、それぞれ、第一駆動装置の回転軸両側に偏心部の位置が異なるように設置されていることにより、ハンドル支柱とサドル支柱が踊るように、前後、上下及び左右に振れる動作を行なうという特長を持つ、請求項１に記載のエクササイズバイク。
【請求項４】
第一、第二駆動ロッドが、それぞれ、第一駆動装置の回転軸両側に偏心部の位置が同じように設置されていることにより、ハンドル支柱とサドル支柱が踊るように、前後、上下に振れる動作を行なうという特長を持つ、請求項１に記載のエクササイズバイク。
【請求項５】
第二駆動装置の駆動輪の径が第一駆動装置の駆動輪より小さく、重力輪と第一駆動装置の駆動輪との間に大きな速度差を生じるという特長を持つ、請求項１に記載のエクササイズバイク。
【考案の詳細な説明】
【技術分野】
【０００１】
本考案は、エクササイズバイクの構造に関するものである。本考案のエクササイズバイクは、極めてシンプルな構造であり、取り付け、使用方法も極めて簡単で便利である。従って、エクササイズバイクの使用がより多様化し、範囲も広く、更に、面白みが増し、変化に富んでいるため、実用的、理想的、進歩的であり、これまでになかったエクササイズバイクである。
【背景技術】
【０００２】
従来の室内エクササイズバイクの設置及び操作は、使用者が両足で踏む動作によって、自転車と同様に直接両足の脚力を鍛える目的を達成するものである。当然、エクササイズバイクは、摩擦力を調整するための効力調整装置が設置されている。従って、使用者は適度な摩擦力を調節することにより、両足で踏むことで確実に脚力をつける目的及び効果を果す。
【考案の開示】
【考案が解決しようとする課題】
【０００３】
エクササイズバイクの操作により、確実に必要な時に使用し効果を上げることが期待できるが、単純に両足で踏むという脚力による操作方式及び運動形態を取るだけなので、明らかに使用者にとって単調で、面白みに欠けるという状況が発生し、予期した運動効果が得られないという結果を招くことがある。
【課題を解決するための手段】
【０００４】
請求項１に記載の考案は、台座を有し、ハンドル支柱とサドル支柱は、一体となっていて、前部先端の上方にはハンドルが設置されていて、後部先端上方にはサドルが設置されていて、振り子ロッドは、一端が軸鞘によって台座の前部の端に軸固定されていて、前後に振れる動作をし、もう一方の端が軸鞘によって自由に軸回転できる状態で、一体となったハンドル支柱とサドル支柱の下端に連結されていて、第一駆動装置には、回転軸ユニットがあって、回転軸は回転軸台座によって台座の後部に固定されていて、駆動輪は回転軸ユニットの回転軸の一端に設置されていて、第一駆動ロッドは、その一端が上下が対応する形で、一体となったハンドル支柱とサドル支柱の後部先端の一側面に貫通して取り付けられていて、もう一方の端は、固定かんぬきによって自由に回転する状態で、第一駆動装置の回転軸の一端の偏心部に固定されていて、回転軸の回転に伴い、ハンドル支柱とサドル支柱の後部先端の側面を押したり引いたりし、第二駆動ロッドの一端には左右に振れる状態でハンドル支柱とサドル支柱後部先端の一方の側に軸接続されていて、もう一方の端は、固定かんぬきによって、自由に回転する状態で第一駆動装置の回転軸のもう一方の端の偏心部に固定されていて、回転軸の回転に伴い、ハンドル支柱とサドル支柱後部先端のもう一方の側を押したり引いたりし、第二駆動装置には重力輪が設置されていて、自由に回転する状態で、台座に設置され、駆動輪は、重力輪と同軸に回転軸に取り付けられ、伝動ベルトは、駆動輪と第一駆動装置の駆動輪の間にかけられて、重力輪と第一駆動装置の駆動輪を連動させ、スプリングパーツは、ハンドル支柱とサドル支柱、及び台座の間に設置され、ハンドル支柱とサドル支柱の後部先端が随時上に跳ね上がるようにし、ペダルロッドは、サドル支柱両側に使用者が両足を置くために設置され、使用者がサドルに座り、両足をペダルロッドに置くと、自らの重力と、臀部あるいは腰部あるいは手あるいは足でハンドル支柱とサドル支柱に少し力を加えることにより、さらに、２つの駆動ロッドが第二駆動装置の重力輪を動かして、第一駆動装置の回転軸に力を伝えることにより、さらに、その２つの駆動ロッドが偏心で円周運動をする中で、それぞれ、ハンドル支柱とサドル支柱の両側を押したり、引いたりすることにより、ハンドル支柱とサドル支柱が乗馬をするように踊るような形態で、前後、上下及び左右に振れる動作を行なうという特長を持つエクササイズバイクである。
【０００５】
請求項２に記載した考案は、第一駆動ロッド及びハンドル支柱とサドル支柱後部先端の接続箇所に緩衝ユニットが設置されている、請求項１に記載のエクササイズバイクである。
【０００６】
請求項３に記載した考案は、第一、第二駆動ロッドが、それぞれ、第一駆動装置の回転軸両側に偏心部の位置が異なるように設置されていることにより、ハンドル支柱とサドル支柱が踊るように、前後、上下及び左右に振れる動作を行なうという特長を持つ、請求項１に記載のエクササイズバイクである。
【０００７】
請求項４に記載した考案は、第一、第二駆動ロッドが、それぞれ、第一駆動装置の回転軸両側に偏心部の位置が同じように設置されていることにより、ハンドル支柱とサドル支柱が踊るように、前後、上下に振れる動作を行なうという特長を持つ、請求項１に記載のエクササイズバイクである。
【０００８】
請求項５に記載した考案は、第二駆動装置の駆動輪の径が第一駆動装置の駆動輪より小さく、重力輪と第一駆動装置の駆動輪との間に大きな速度差を生じるという特長を持つ、請求項１に記載のエクササイズバイクである。
【０００９】
本考案のエクササイズバイクの構造は、一体となったハンドル支柱とサドル支柱の前部先端が振り子ロッドによって前後に振れる軸接続状態で台座に設置されている。そして、後部先端の両側はそれぞれ駆動ロッドで第一駆動装置の回転軸両側の偏心部分に設置されている。さらに、スプリングパーツの上に跳ね上がる作用を受け、さらに、第一駆動装置と第二駆動装置が同時に作動することにより、使用者がサドルに座った時、その自らの重力でハンドル支柱及びサドル支柱の後部先端が下に振れ、同時に、２つの駆動ロッドによって、第一駆動装置の駆動輪が動かされて回転し、さらに、第二駆動装置の重力輪を回転させる。
【００１０】
そして、第二駆動装置の重力輪がその回転中に慣性による回転力で引き続き第一駆動装置の駆動輪を動かして回転させる。さらに、２つの駆動ロッドが偏心の円周運動中にハンドル支柱及びサドル支柱の後部先端を上に押し上げるので、使用者は引き続き臀部あるいは腰部あるいは手あるいは足によって引き続きハンドル支柱及びサドル支柱に力をかけると、自然に、そのハンドル支柱及びサドル支柱は、踊るように前後あるいは上下に作動し、使用者は乗馬をしているかのような状態になる。
【００１１】
従って、本考案のエクササイズバイクの動作は多様化していて、変化とおもしろみに富み、その上、期待通りの使用目的も達成できるという特長を持つ。
【００１２】
また、本考案のエクササイズバイクの構造は、２つの駆動ロッドが、異なる方向で第一駆動装置の回転軸両側の偏心部に設置されている。したがって、そのハンドル支柱及びサドル支柱は前後及び上下運動を実施する時、同時に左右に振れる動作をする。従って、使用者はよりリアルな乗馬形態の運動をすることが可能である。
【００１３】
また、本考案のエクササイズバイクは、第二駆動装置の重力輪が第一駆動装置によって動かされて回転した後、慣性による回転力で、同様に第一駆動装置の回転軸を動かして、設置してある２つの駆動ロッドをも同時に作動させる。したがって、そのサドル支柱及びハンドル支柱の振り子運動が、使用者の重量がサドルに影響することで発生する瞬間的な停滞状態がなく、常に連続してスムーズな動きをする。故に、使用者が騎馬形態のエクササイズを行う際に、その動きが自然で、心地よく使用できるという効果がある。
【考案の効果】
【００１４】
本考案のエクササイズバイクの構造は、一体となったハンドル支柱とサドル支柱の前部先端が振り子ロッドによって前後に振れる軸接続状態で台座に設置されていて、後部先端の両側はそれぞれ駆動ロッドで第一駆動装置の回転軸両側の偏心部分に設置されている。
【００１５】
さらに、スプリングパーツの上に跳ね上がる作用を受け、さらに、第一駆動装置と第二駆動装置が同時に作動することにより、使用者がサドルに座った時、その自らの重力でハンドル支柱及びサドル支柱の後部先端が下に振れ、同時に、２つの駆動ロッドによって、第一駆動装置の駆動輪が動かされて回転し、さらに、第二駆動装置の重力輪を回転させる。
【００１６】
そして、第二駆動装置の重力輪がその回転中に慣性による回転力で引き続き第一駆動装置の駆動輪を動かして回転させる。
【００１７】
さらに、２つの駆動ロッドが偏心の円周運動中にハンドル支柱及びサドル支柱の後部先端を上に押し上げるので、使用者がハンドル支柱及びサドル支柱に力をかけると、自然に、そのハンドル支柱及びサドル支柱は、踊るように前後あるいは上下に作動し、使用者は乗馬をしているかのような状態になる。
【００１８】
従って、本考案のエクササイズバイクの動作は多様化しているため、変化と面白みに富み、その上、期待通りの使用目的も達成できるという特長を持つ。
【００１９】
また、本考案のエクササイズバイクの構造は、２つの駆動ロッドが、異なる方向で第一駆動装置の回転軸両側の偏心部に設置されているため、そのハンドル支柱及びサドル支柱は前後及び上下運動を実施する時、同時に左右に振れる動作をして、よりリアルな乗馬形態の運動をすることが可能である。
【００２０】
また、本考案のエクササイズバイクは、第二駆動装置の重力輪が第一駆動装置によって動かされて回転した後、慣性による回転力で、同様に第一駆動装置の回転軸を動かして、設置してある２つの駆動ロッドをも同時に作動させるため、そのサドル支柱及びハンドル支柱の振り子運動が、常に連続してスムーズな動きをする。故に、使用者が騎馬形態のエクササイズを行う際に、その動きが自然で、心地よく使用できるという効果がある。
【考案を実施するための最良の形態】
【００２１】
図１、図２に図示したように、本考案のエクササイズバイクの構造は、まず台座１０があり、それに以下のパーツが設置してある。
【００２２】
振り子ロッド２０は、一端が軸鞘２０１によって、台座１０の前部の端に軸固定されて前後に振れる動作をする。
【００２３】
ハンドル支柱３０とサドル支柱４０は一体となっていて、前部先端の上方にはハンドル３０１が設置されていて、下方は軸鞘３０２によって振り子ロッド２０の一端に軸接続されている。後部先端にはサドル４０１が設置されている。
【００２４】
図３に図示したように、第一駆動装置５０には、回転軸ユニット５０１があって、回転軸５０１１は、回転軸台座５０１２によって台座１０の後部に固定されている。駆動輪５０２は、回転軸ユニット５０１の回転軸５０１１の一端に設置されている。
【００２５】
同じく図３に図示したように、第一駆動ロッド６０は、その一端が、上下が対応する形で、一体となったハンドル支柱３０とサドル支柱４０の後部先端の一側面に貫通して取り付けられている。もう一方の端は、固定かんぬき６０１によって自由に回転する状態で、第一駆動装置５０の回転軸５０１１の一端の偏心部（そのうち、本考案は回転軸５０１１の一端が、固定盤５０１３に固定されていて、偏心位置に第一駆動ロッド６０が固定されるという実施例になっている）に固定されている。
【００２６】
回転軸５０１１の回転に伴い、ハンドル支柱３０とサドル支柱４０の後部先端の側面を押したり引いたりする。そのうち、ハンドル支柱３０とサドル支柱４０後部先端の接続箇所には、緩衝ユニット６０２（スプリングパーツあるいはポリウレタン類の緩衝ユニット）が設置されている。
【００２７】
図３、図４に図示したように、第二駆動ロッド７０の一端には、固定かんぬき７０１によって左右に振れる状態で、ハンドル支柱３０とサドル支柱４０後部先端の一方の側に軸接続されている。もう一方の端は、固定かんぬき７０２によって、自由に回転する状態で第一駆動装置５０の回転軸５０１１のもう一方の端の偏心部に固定されている。回転軸５０１１の回転に伴い、ハンドル支柱３０とサドル支柱４０後部先端のもう一方の側を押したり引いたりする。
【００２８】
図５、図６、図７に図示したように、第一駆動ロッド６０は、それぞれ第一駆動装置５０の両側の偏心位置が異なる（図５に示す偏心角Q、Q’は異なる。あるいは、図６に図示する偏心距離B、B’は異なる）ようにも、同じ（図７に図示する偏心角、距離はいずれも等しい）にも設置することが可能である。
【００２９】
第二駆動装置８０には、適当な重量の重力輪８０１が設置されていて、回転軸８０２によって自由に回転する状態で、台座１０に設置される。
【００３０】
駆動輪８０３は、重力輪８０１と同軸に回転軸８０２に取り付けられる。伝動ベルト８０４は、駆動輪８０３と第一駆動装置５０の駆動輪５０２の間にかけられて、駆動輪５０２と重力輪８０１を連動させる。
【００３１】
その駆動輪８０３の径は、第一駆動装置５０の駆動輪５０２よりはるかに小さいため、二者には極めて大きな速度差が生じる。さらに、重力輪８０１もまた駆動輪５０２との間に極めて大きな速度差を生じる。
【００３２】
スプリングパーツ９０は、ハンドル支柱３０とサドル支柱４０、及び台座１０の間に設置され、ハンドル支柱３０とサドル支柱４０の後部先端が随時上に跳ね上がるようにする。
【００３３】
ペダルロッド９１は、サドル支柱４０両側に使用者が両足を置くために設置される。
【００３４】
図８、図９に図示したように、本考案のエクササイズバイクは、一体となったハンドル支柱３０とサドル支柱４０後部先端が、２つの駆動ロッド６０、７０によって、第一駆動装置５０の回転軸５０１１両側の偏心部に連結する。そして、スプリングパーツ９０が作用を受けて、随時上に振れて、最高点まで達する。そして、前部先端もまた前後に振れる振り子ロッド２０によって、台座１０に連結される。
【００３５】
故に、使用者がサドル４０１に座り、両足をペダルロッド９１に置いた時、その自らの重力でハンドル支柱３０とサドル支柱４０の後部先端が下に降り、駆動ロッド６０、７０を偏心に固定する軌跡によって第一駆動装置５０の回転軸５０１１を回転させ、同時に、そのハンドル支柱３０とサドル支柱４０の前部先端が振り子ロッド２０の軸鞘２０１を軸に、振り子ロッド２０を動かすことにより、それに伴って連動し、振り子運動をする。
【００３６】
また、第一駆動装置５０の回転軸５０１１の駆動輪５０２は、回転中に伝動ベルト８０４によって、同時に第二駆動装置８０の重力輪８０１を動かす。そして、重力輪８０１もまたやや重い重量を持ち、第一駆動装置５０の駆動輪５０２がやや大きい速度比を持つことにより（つまり、重力輪８０１の回転速度は駆動輪５０２よりも速い）、前述のハンドル支柱３０とサドル支柱４０が下に降りて、第一駆動装置５０の回転軸５０１１を回転させる時、その第二駆動装置８０の重力輪８０１が高速回転し、極めて大きな慣性による回転力を持つ。さらに、慣性による回転力もまた伝動ベルト８０４によって、さらに第一駆動装置５０の駆動輪５０２に伝わり、回転軸５０１１が補助回転の力を提供する。
【００３７】
そして、前述の使用者が自らの重力によって、ハンドル支柱３０とサドル支柱４０後部先端が下に降りた時、使用者はただ臀部あるいは腰部あるいは足あるいは手でハンドル支柱３０とサドル支柱４０に少し力を加えるだけでよい（例えば、サドル４０１あるいはペダルロッド９１あるいはハンドル３０１に力を加える）。
【００３８】
そして、第一駆動装置５０の回転軸５０１１にさらに大きな駆動力を与え、さらに大きな回転力を発生させる。従って、第二駆動装置８０の重力輪８０１が、さらに大きな慣性による回転力を第一駆動装置５０の駆動輪５０２及び回転軸５０１１に提供することと、スプリングパーツ９０がハンドル支柱３０とサドル支柱４０後部先端に対して随時上に跳ね上がる力を提供することにより、自然に、その第一駆動装置５０の回転軸５０１１両側に偏心に固定される駆動ロッド６０、７０が、速やかに、スムーズに円周運動を行なって上に跳ね上がる動作を行なう。
【００３９】
そして、それに伴い、ハンドル支柱３０とサドル支柱４０後部先端が上に押し上げられて、その前部先端の振り子動作を行なわせる。このようにして、持続的に循環動作を行い、そのハンドル支柱３０とサドル支柱４０は、踊るような前後及び上下の振り子運動を行なうのである。
【００４０】
更に、サドル４０１に座っている使用者は、乗馬をしているかのような運動感覚を覚えるため、予期する全身運動の目的を果すのは勿論、さらに、エクササイズバイクの操作において、より多様性を持ち、変化と面白みに富むという効果を持つ。
【００４１】
図５、図６及び図１０、図１１に図示したように、第一駆動ロッド、第二駆動ロッド７０は、それぞれ第一駆動装置５０の回転軸５０１１両側に固定される偏心位置は同じではない。さらに、第二駆動ロッド７０もまた７０２によってハンドル支柱３０とサドル支柱４０後部先端の側面に動く状態で軸接続されている。
【００４２】
更に、ハンドル支柱３０とサドル支柱４０に、左右に振り子運動をさせるため、前述のハンドル支柱３０とサドル支柱４０が動かされて、踊るように前後及び上下に振り子運動をする時、それもまた同時に動かされて左右に振り子運動をする。したがって、第一駆動ロッド６０、第二駆動ロッド７０は、回転軸５０１１両側に固定される偏心位置が同じではないため、回転軸５０１１の回転に伴い、それらも非対称の高度、位置で、ハンドル支柱３０とサドル支柱４０の後部先端の両側をそれぞれ押したり、引いたりする。
【００４３】
更に、第二駆動ロッド７０及びハンドル支柱３０とサドル支柱４０の連結も、左右に振れる軸接続状態であるため、回転軸５０１１の回転に伴い、同時に２つの異なる高度、位置の駆動ロッド６０、７０に、ハンドル支柱３０とサドル支柱４０後部先端が押されたり、引っ張られたりすることで、自動的に、左右の振り子運動を行なう。
【００４４】
そして、前述のように、ハンドル支柱３０とサドル支柱４０が、踊るように前後及び上下に振れる時、同時に、左右に振れて、使用者がそれによって乗馬をしているかのような状態を体験できるので、操作が多様化し、面白みと変化に富み、同時に予期する運動効果が得られるという効果がある。
【００４５】
図７に図示したように、第一駆動ロッド６０、第二駆動ロッド７０は、それぞれ回転軸５０１１両側に偏心の位置は同じである。したがって、ハンドル支柱３０とサドル支柱４０もまた、踊るように前後及び上下に振れる動作をするが、左右に振る動作はしない。
【００４６】
第一駆動ロッド６０及びハンドル支柱３０とサドル支柱４０後部先端の接続箇所に緩衝ユニット６０２があることにより、そのハンドル支柱３０とサドル支柱４０が、第一駆動ロッド６０に押され、引っ張られる動作が、緩衝を受けて、それに伴い、サドル４０１に座っている使用者がより心地よく、自然な操作が可能である。
【００４７】
このように、本考案のエクササイズバイクの構造は、従来の室内運動器具であるエクササイズバイクよりシンプルな構造でありながら、その動きや操作が多様性を持ち、斬新である。
【図面の簡単な説明】
【００４８】
【図１】本考案の立体図である。
【図２】図１を前から見た図である。
【図３】本考案の第一駆動装置、両駆動ロッド、サドル支柱及び台座が結合した状態の側面図である。
【図４】本考案の第二駆動ロッド及びサドル支柱が連結した状態を示した立体図である。
【図５】本考案の第一駆動ロッド、第二駆動ロッドの偏心固定角度が異なる状態を示した実施例図である。
【図６】本考案の第一駆動ロッド、第二駆動ロッド偏心固定距離が異なる状態を示した実施例図である。
【図７】本考案の第一駆動ロッド、第二駆動ロッド偏心固定角度、距離が同じ状態を示した実施例図である。
【図８】図２を実際に作動させた状態を示したイメージ図である。
【図９】本考案のハンドル支柱及びサドル支柱後部先端が両駆動ロッドによって下に引っ張られて、地面に垂直に対応する実施例の図である。
【図１０】本考案のハンドル支柱及びサドル支柱後部先端が両駆動ロッドによって動かされて（下に引っ張られるか、上に押し上げられるか）、左に振れる状態の実施例の図である。
【図１１】本考案のハンドル支柱及びサドル支柱後部先端が両駆動ロッドによって動かされて（下に引っ張られるか、上に押し上げられるか）、右に振れる状態の実施例の図である。
【符号の説明】
【００４９】
１０      台座                          
２０      振り子ロッド
２０１    軸鞘
３０      ハンドル支柱
３０１    ハンドル
３０２    軸鞘
４０      サドル支柱
４０１    サドル
５０      第一駆動装置
５０１    回転軸ユニット
５０１１  回転軸
５０１２  回転軸台座
５０１３  固定盤
５０２    駆動輪
６０      第一駆動ロッド
６０１    固定かんぬき
６０２    緩衝ユニット
７０      第二駆動ロッド
７０１    固定かんぬき
７０２    固定かんぬき
８０      第二駆動装置
８０１    重力輪
８０２    回転軸
８０３    駆動輪
８０４    伝動ベルト
９０      スプリングパーツ
９１      ペダルロッド
【図１】
0003127734.tif 000003
【図２】
0003127734.tif 000004
【図３】
0003127734.tif 000005
【図４】
0003127734.tif 000006
【図５】
0003127734.tif 000007
【図６】
0003127734.tif 000008
【図７】
0003127734.tif 000009
【図８】
0003127734.tif 000010
【図９】
0003127734.tif 000011
【図１０】
0003127734.tif 000012
【図１１】
0003127734.tif 000013